(57)【要約】      （修正有）【課題】融雪電力の停電時間帯において、空気熱交換器の着霜に起因した暖房不足を生じることのないヒートポンプ式暖房装置を提供する。【解決手段】少なくとも空気熱交換器を有し、融雪電力を電源として運転可能なヒートポンプ熱源機と、空気熱交換器の除霜運転を行わせる除霜制御手段２１とを備え、被空調空間を暖房する暖房運転開始時から所定の除霜運転禁止時間が経過するまでは除霜運転の実行を禁止するようにしたヒートポンプ式暖房装置において、停電時間を計測する停電時間計測手段２２を設け、除霜制御手段２１は、停電時間計測手段２２が計測する停電時間が所定時間を超えたと判断した場合、除霜運転禁止時間を、第１除霜運転禁止時間とする一方、停電時間計測手段２２が計測する停電時間が所定時間以下であると判断した場合、除霜運転禁止時間を、第１除霜運転禁止時間よりも短い第２除霜運転禁止時間とした。【選択図】図２
2019148382.tif 000002
【特許請求の範囲】
【請求項１】
少なくとも空気熱交換器を有し、融雪電力を電源として運転可能なヒートポンプ熱源機と、前記空気熱交換器の除霜運転を行わせる除霜制御手段とを備え、被空調空間を暖房する暖房運転開始時から所定の除霜運転禁止時間が経過するまでは前記除霜運転の実行を禁止するようにしたヒートポンプ式暖房装置において、停電時間を計測する停電時間計測手段を設け、前記除霜制御手段は、前記停電時間計測手段が計測する前記停電時間が前記所定時間を超えたと判断した場合、前記除霜運転禁止時間を、第１除霜運転禁止時間とする一方、前記停電時間計測手段が計測する前記停電時間が所定時間以下であると判断した場合、前記除霜運転禁止時間を、前記第１除霜運転禁止時間よりも短い第２除霜運転禁止時間とするようにしたことを特徴とするヒートポンプ式暖房装置。
【請求項２】
前記第２除霜運転禁止時間を、前記融雪電力の所定の時間帯の間において取得すべき停電時間を複数に分割した場合に１回当たり設定することのできる最少分割停電時間よりも短い時間としたことを特徴とする請求項１記載のヒートポンプ式暖房装置。
【請求項３】
前記除霜制御手段が前記停電時間計測手段で計測される前記停電時間が所定時間以下であると判断した場合に設定する前記除霜運転を開始させるための除霜開始条件を、前記停電時間が前記所定時間を超えたと判断した場合に設定する除霜開始条件よりも、前記除霜運転を開始しにくい条件としたことを特徴とする請求項１または２記載のヒートポンプ式暖房装置。
【請求項４】
通電時間を計測する通電時間計測手段を設け、前記除霜制御手段が、前記停電時間計測手段が計測する前記停電時間が所定時間以下であると判断して前記除霜運転禁止時間を前記第２除霜運転禁止時間とした後に、前記通電時間計測手段が計測する前記通電時間が一定時間を超えたと判断した場合は、前記除霜運転禁止時間を、前記第１除霜運転禁止時間とするようにしたことを特徴とする請求項１から３の何れか一項に記載のヒートポンプ式暖房装置。
【発明の詳細な説明】
【技術分野】
【０００１】
本発明は、ヒートポンプ式暖房装置に関するものである。
【背景技術】
【０００２】
従来この種のものでは、圧縮機、負荷側熱交換器、膨張弁、空気熱交換器を冷媒配管で接続したヒートポンプ回路を備え、暖房運転中に除霜開始条件が成立すると、空気熱交換器に付着した霜を溶かす除霜運転を行うヒートポンプ式暖房装置があり、暖房運転開始時においては、暖房運転開始時から所定の除霜運転禁止時間が経過するまでは除霜運転の実行を禁止することで、暖房不足にならないように、除霜運転を行わせないようにするものがあった。（例えば、特許文献１参照。）
【先行技術文献】
【特許文献】
【０００３】
【特許文献１】特開平６−８２０８３号公報
【発明の概要】
【発明が解決しようとする課題】
【０００４】
ところで、寒冷地等においては、電力会社が提供する冬期の融雪・暖房等の特定の用途に限定された融雪電力契約（以下、融雪電力）があり、融雪電力を利用可能な期間においては、毎日、所定の時間帯（例えば毎日１６：００〜２１：００）の間に、電力供給を停止する停電時間が設けられている。この停電時間は、毎日、前記所定の時間帯の間に、合計で２時間設ける必要があり、前記所定の時間帯の中で２時間の停電時間を複数に分割することが許されており、ユーザは、例えば、前記所定の時間帯の中で１６：００〜１８：００の２時間連続で電力を停止させる、または、前記所定の時間帯の中で定期的に電力を停止（１時間の停電を２回、または３０分の停電を４回、または１５分の停電を８回）させる、というような電力停止設定を行うことができるものである。
【０００５】
ここで、ユーザが設定した融雪電力の電力停止設定が、前記所定の時間帯の中で１５分の停電を８回とし、１５分の停電と１５分の通電が繰り返し行われる設定であり、そして、前記ヒートポンプ式暖房装置の前記除霜運転禁止時間が１５分であった場合、前記所定の時間帯において停電状態から通電状態となり暖房運転が開始された際、暖房運転開始時から１５分は除霜運転禁止時間であるため、１５分は暖房運転のみ行われ除霜運転は行われないことになる。そうすると、１５分の停電と１５分の通電が繰り返し行われる期間は、暖房運転中に除霜開始条件が成立していても、暖房運転中は除霜運転禁止時間であり、全く除霜運転を行うことができず、暖房運転が行われるたびに空気熱交換器の着霜量が増大して空気熱交換器が氷結してしまい、暖房出力（暖房能力）が著しく低下し暖房不足を生じるといった不具合が発生するおそれがあった。
【課題を解決するための手段】
【０００６】
本発明は上記課題を解決するために、請求項１では、少なくとも空気熱交換器を有し、融雪電力を電源として運転可能なヒートポンプ熱源機と、前記空気熱交換器の除霜運転を行わせる除霜制御手段とを備え、被空調空間を暖房する暖房運転開始時から所定の除霜運転禁止時間が経過するまでは前記除霜運転の実行を禁止するようにしたヒートポンプ式暖房装置において、停電時間を計測する停電時間計測手段を設け、前記除霜制御手段は、前記停電時間計測手段が計測する前記停電時間が前記所定時間を超えたと判断した場合、前記除霜運転禁止時間を、第１除霜運転禁止時間とする一方、前記停電時間計測手段が計測する前記停電時間が所定時間以下であると判断した場合、前記除霜運転禁止時間を、前記第１除霜運転禁止時間よりも短い第２除霜運転禁止時間とするものとした。
【０００７】
また、請求項２では、前記第２除霜運転禁止時間を、前記融雪電力の所定の時間帯の間において取得すべき停電時間を複数に分割した場合に１回当たり設定することのできる最少分割停電時間よりも短い時間とするものとした。
【０００８】
また、請求項３では、前記除霜制御手段が前記停電時間計測手段で計測される前記停電時間が所定時間以下であると判断した場合に設定する前記除霜運転を開始させるための除霜開始条件を、前記停電時間が前記所定時間を超えたと判断した場合に設定する除霜開始条件よりも、前記除霜運転を開始しにくい条件とするものとした。
【０００９】
また、請求項４では、通電時間を計測する通電時間計測手段を設け、前記除霜制御手段が、前記停電時間計測手段が計測する前記停電時間が所定時間以下であると判断して前記除霜運転禁止時間を前記第２除霜運転禁止時間とした後に、前記通電時間計測手段が計測する前記通電時間が一定時間を超えたと判断した場合は、前記除霜運転禁止時間を、前記第１除霜運転禁止時間とするものとした。
【発明の効果】
【００１０】
この発明の請求項１によれば、除霜制御手段は、停電時間計測手段が計測する停電時間が所定時間を超えたと判断した場合、除霜運転禁止時間を、第１除霜運転禁止時間とする一方、停電時間計測手段が計測する停電時間が所定時間以下であると判断した場合、除霜運転禁止時間を、第１除霜運転禁止時間よりも短い第２除霜運転禁止時間としたことで、融雪電力の停電が実施される時間帯において、停電時間が長ければ、通電が再開した際の暖房運転開始時からの除霜運転禁止時間を、停電時間が短い場合の除霜運転禁止時間よりも長い通常の除霜運転禁止時間として、停電時間の合間の通電時に行われる暖房運転において、暖房運転開始時からの暖房運転時間が長くなるので、暖房不足を生じさせないようにすることができ、停電時間が短ければ、通電が再開した際の暖房運転開始時からの除霜運転禁止時間を通常よりも短くして、停電時間の合間の通電時に暖房運転のみならず、暖房運転中に除霜運転を実行可能とすることができるものである。
【００１１】
また、請求項２によれば、第２除霜運転禁止時間を、融雪電力の所定の時間帯の間において取得すべき停電時間を複数に分割した場合に１回当たり設定することのできる最少分割停電時間よりも短い時間したことで、最少分割停電時間と、最少分割停電時間と同時間長の通電時間とが繰り返される電力停止設定の場合に、通電時間内で除霜運転禁止時間が確実に終了し、通電時間のうち除霜運転禁止時間を除いた残時間は除霜運転を行える除霜運転許可状態とすることができるので、短い通電時間内であっても、暖房運転を行う時間を確保して暖房不足とならないようにすると共に、必要なときに除霜運転を行える状態とすることができるものである。
【００１２】
また、請求項３によれば、除霜制御手段が停電時間計測手段で計測される停電時間が所定時間以下であると判断した場合に設定する除霜運転を開始させるための除霜開始条件を、停電時間が所定時間を超えたと判断した場合に設定する除霜開始条件よりも、除霜運転を開始しにくい条件としたことで、融雪電力の所定の時間帯における電力停止設定が、合計の停電時間を複数に分割した場合に１回当たり設定することのできる最少分割停電時間の設定であった場合でも、短い通電時間の中で、除霜運転よりも暖房運転を優先させることに主眼を置き、暖房不足を生じないように暖房運転時間を長くすることができるものである。
【００１３】
また、請求項４によれば、除霜制御手段が、前記停電時間計測手段が計測する前記停電時間が所定時間以下であると判断して前記除霜運転禁止時間を前記第２除霜運転禁止時間とした後に、前記通電時間計測手段が計測する前記通電時間が一定時間を超えたと判断した場合は、前記除霜運転禁止時間を、第１除霜運転禁止時間とするものとしている。
上記のように、融雪電力の所定の時間帯において取得すべき停電時間の取得が終了した後は、停電なく暖房運転が連続して行われる状況となり、その状況下で除霜運転禁止時間が第２除霜運転禁止時間だと、すぐに除霜運転を行える状態となり、暖房運転中に頻繁に除霜運転が行われる可能性があることから、暖房不足を生じる可能性が高まるが、除霜運転禁止時間を第１除霜運転禁止時間とすれば、除霜運転禁止時間が長くなる、つまり、暖房運転を行う時間が長くなるので、暖房不足を生じにくくすることができるものである。
したがって、除霜制御手段が、停電時間が所定時間以下であると判断した後に、通電時間が一定時間を超えたと判断した場合、融雪電力の所定の時間帯において取得すべき停電時間の取得が終了したものとして、除霜運転禁止時間を第２除霜運転禁止時間から第１除霜運転禁止時間に戻すので、暖房運転中に除霜運転を頻繁に行って暖房不足となるような事態を防ぐことができるものである。
【図面の簡単な説明】
【００１４】
【図１】本発明の一実施形態のヒートポンプ式暖房装置の概略構成図。
【図２】同一実施形態のヒートポンプ式暖房装置の要部ブロック図。
【図３】同一実施形態のヒートポンプ式暖房装置の暖房運転時の動作を説明する概略構成図。
【図４】同一実施形態のヒートポンプ式暖房装置の除霜運転時の動作を説明する概略構成図。
【図５】暖房運転時に実施される除霜モード選択動作を示すフローチャート。
【図６】比較例のヒートポンプ式暖房装置の停電時間帯を含む暖房運転における動作を示すタイムチャート。
【図７】本発明のヒートポンプ式暖房装置の停電時間帯を含む暖房運転における動作を示すタイムチャート。
【発明を実施するための形態】
【００１５】
次に、この発明の一実施形態のヒートポンプ式暖房装置１の構成について、図面に基づき詳細に説明する。なお、上記ヒートポンプ式暖房装置１は、所定期間の間だけ利用可能である特別な電力系統、すなわち融雪電力を電源として運転可能なものを前提としている。
【００１６】
２は加熱された循環液を供給するヒートポンプ式熱源機としてのヒートポンプユニットで、ヒートポンプユニット２は、その筐体内に、冷媒を圧縮する回転数可変の圧縮機３、流路切換手段としての四方弁４、冷媒と循環液との熱交換を行う負荷側熱交換器としての液冷媒熱交換器５、減圧手段としての膨張弁６、送風ファン７の作動により送られる空気（外気）との熱交換を行うフィンチューブ式の空気熱交換器８とを有し、それらを冷媒配管９で環状に接続して冷媒が循環するヒートポンプ回路１０を形成しているものである。前記液冷媒熱交換器５は、例えば、プレート式熱交換器で構成され、プレート式熱交換器は、複数の伝熱プレートが積層され、冷媒を流通させる冷媒流路と循環液を流通させる液流路とが各伝熱プレートを境にして交互に形成されている。なお、ヒートポンプ回路１０を循環する冷媒としては、ＨＦＣ冷媒や二酸化炭素冷媒等の任意の冷媒を用いることができるものである。
【００１７】
１１は外気温度を検出する外気温度センサ、１２は膨張弁６から空気熱交換器８までの冷媒配管９に設けられ、冷媒温度を検出する冷媒温度センサである。
【００１８】
前記冷媒配管９に設けられた四方弁４は、ヒートポンプ回路１０における冷媒の流れ方向を切り換える機能を有し、圧縮機３から吐出された冷媒を、液冷媒熱交換器５、膨張弁６、空気熱交換器８の順に流通させ、圧縮機３に戻す流路を形成する状態（暖房運転時の状態）と、圧縮機３から吐出された冷媒を、空気熱交換器８、膨張弁６、液冷媒熱交換器５の順に流通させ、圧縮機３に戻す流路を形成する状態（除霜運転時の状態）とに切換可能なものである。
【００１９】
１３はヒートポンプユニット２で加熱された循環液が供給され、供給された循環液の熱を利用することで被空調空間の空調（暖房）を行う空調端末であり、空調端末１３としては床暖房パネルやラジエータ等を用いるものである。図１では１つしか設けられていないが、複数であってもよいものであり、数量や仕様が特に限定されるものではない。
【００２０】
１４は液冷媒熱交換器５と空調端末１３とを液配管１５で環状に接続し、循環液（例えば、水や不凍液等）が循環する循環回路としての負荷側循環回路で、負荷側循環回路１４は、負荷側循環回路１４に循環液を循環させる回転数可変の循環ポンプ１６と、空調端末１３から液冷媒熱交換器５に流入する循環液の温度を検出する戻り温度センサ１７と、循環液を貯留し負荷側循環回路１４内の圧力を調整するシスターン１８とを備えているものである。
【００２１】
１９は各種のデータやプログラムを記憶する記憶手段（ＲＯＭ、不揮発性メモリ等）と、演算・制御処理を行う制御手段とを備え、ヒートポンプユニット２の動作を制御する制御装置であり、制御装置１９はヒートポンプユニット２内の各種センサの信号やリモコン２０からの信号を受け、圧縮機３、四方弁４、膨張弁６、送風ファン７、循環ポンプ１６の駆動を制御するものである。
【００２２】
ここで、制御装置１９は、電力会社が提供する所定期間（例えば１０月〜５月）の間だけ融雪・暖房等の特定の用途に限定して利用可能な特別な電力系統である融雪電力を電源としており、融雪電力を利用可能な期間においては、毎日、所定の時間帯としての停電時間帯（例えば毎日１６：００〜２１：００）の間に、電力供給を停止する停電時間が設けられている。この停電時間は、毎日、停電時間帯の間に、合計で２時間設ける必要があり、停電時間帯の中で２時間の停電時間を複数に分割することが許されており、ユーザは、例えば、前停電時間帯の中で１６：００〜１８：００の２時間連続で電力を停止させる、または、停電時間帯の中で断続的に電力を停止（１時間の停電を２回、または３０分の停電を４回、または１５分の停電を８回）させる、というような電力停止設定を行うことができ、電力停止設定は、融雪電力の契約時や停電させる時間を変更したい時など、ユーザと電力会社との間で事前に設定されるものである。なお、この停電時間帯では、合計の停電時間を複数に分割した場合、分割された１回当たりの停電時間と、分割された停電時間の合間の通電時間とが同時間となり、分割された停電時間と通電時間とを交互に繰り返すように定期的に電力が停止されるものであり、例えば、合計２時間の停電時間を３０分の停電４回に分割した場合を想定すると、３０分停電した後は通電が３０分なされ、３０分通電した後は再度停電が３０分なされるという状態が、合計２時間の停電時間となるまで繰り返されるものである。
【００２３】
また、前記制御装置１９は、ヒートポンプ回路１０を作動させると共に循環ポンプ１６を駆動させて、液冷媒熱交換器５において循環液を加熱し、加熱された循環液を空調端末１３に供給し、被空調空間を加熱する暖房運転中に、空気熱交換器８の霜を溶かす除霜運転を行わせる除霜制御手段２１を有している。
【００２４】
前記除霜制御手段２１は、暖房運転開始時および除霜運転終了後の暖房運転再開時から所定の除霜運転禁止時間が経過するまでは除霜運転の実行を禁止し、除霜運転禁止時間が経過すると、除霜運転禁止状態を解除し、除霜運転実行許可状態とし、この除霜運転実行許可状態のときに、除霜開始条件が成立したと判断すると、冷媒の流れ方向が暖房運転時の冷媒の流れ方向と逆になるように四方弁４を切り換えて、圧縮機３から吐出された高温冷媒を直接、空気熱交換器８に循環させて、空気熱交換器８に発生した霜を溶かす除霜運転を実行させるものである。なお、除霜運転禁止時間中は除霜開始条件が成立しているか否かに関わらず、除霜運転が実行されることはないものである。また、暖房運転開始時および除霜運転終了後の暖房運転再開時から所定時間の除霜運転禁止時間が設定されているのは、頻繁に除霜運転を行って暖房不足となるのを防止するためである。
【００２５】
ここで、前記除霜制御手段２１は、暖房運転時に、通常の設定にて除霜運転を制御する通常除霜モードと、通常の設定とは異なる特殊な設定にて除霜運転を制御する特殊除霜モードとの何れか一方の除霜モード選択を行い、選択した除霜モードに基づいて除霜運転を制御するものであり、通常除霜モードでは、前記除霜運転禁止時間が第１除霜運転禁止時間（例えば、１５分）に設定され、特殊除霜モードでは、前記除霜運転禁止時間が第２除霜運転禁止時間（例えば、５分）に設定されており、前記第１除霜運転禁止時間と前記第２除霜運転禁止時間とを比べると、第１除霜運転禁止時間よりも第２除霜運転禁止時間の方が短く設定されているものである。
【００２６】
また、除霜運転の開始は、例えば、外気温度センサ１１で検出した外気温度が所定の除霜開始温度に達したか否か、または外気温度センサ１１で検出した外気温度と冷媒温度センサ１２で検出した冷媒温度との温度差が所定の除霜開始温度差を超えたか否かを除霜制御手段２１が判断、すなわち所定の除霜開始条件が成立したか否かを除霜制御手段２１が判断して、除霜開始条件が成立したと判断したら除霜運転を開始することができる。ここで、通常除霜モードの除霜開始条件としての第１除霜開始条件は、具体的に、外気温度センサ１１で検出した外気温度と冷媒温度センサ１２で検出した冷媒温度との温度差が６℃を超えたことであり、特殊除霜モードの除霜開始条件としての第２除霜開始条件は、具体的に、外気温度センサ１１で検出した外気温度と冷媒温度センサ１２で検出した冷媒温度との温度差が８℃を超えたことであり、第２除霜開始条件は、第１除霜開始条件よりも除霜運転を開始しにくい条件が設定されている。
【００２７】
なお、除霜運転の終了は、通常除霜モードおよび特殊除霜モードで共通であり、冷媒温度センサ１２で検出する空気熱交換器８を流通してきた冷媒の温度が、予め設定された除霜終了温度に達したか否かを除霜制御手段２１が判断、すなわち所定の除霜終了条件が成立したか否かを除霜制御手段２１が判断して、除霜終了条件が成立したと判断したら除霜運転を終了することができる。先に説明した通常除霜モード時の第１除霜運転禁止時間、第１除霜開始条件、除霜終了条件と、特殊除霜モード時の第２除霜運転禁止時間、第２除霜開始条件、除霜終了条件は、制御装置１９に予め記憶されているものである。
【００２８】
また、制御装置１９は、電力供給が停止された停電時間を計測する停電時間計測手段２２と、暖房運転中に連続的に電力供給が行われている通電時間を計測する通電時間計測手段２３とを有しており、前記停電時間計測手段２２としては、停電の発生を検知し、停電の発生と同時に計時を開始し、通電再開時に計時を停止して、停電から通電開始までの経過時間を計測するものや、停電発生を検知し、その時の停電発生時刻を不揮発性メモリに保持させ、通電が再開した場合に、不揮発性メモリに保持された停電発生時刻と通電が再開した現在時刻とを比較して停電時間を演算するものも含まれるものであり、本実施形態の停電時間計測手段２２は前者の方法で停電時間を計測するものとする。
【００２９】
前記除霜制御手段２１は、停電時間計測手段２２が計測した停電時間、すなわち、融雪電力の停電時間帯（毎日１６：００〜２１：００）の間において、電力供給が停止されてから通電が再開されるまでの停電時間が所定時間以下であると判断した場合は、前記特殊除霜モードを選択する一方、電力供給が停止されてから通電が再開されるまでの停電時間が所定時間を超えたと判断した場合、前記通常除霜モードを選択する。さらに、除霜制御手段２１は、前記特殊除霜モードが選択されている状態で、通電時間計測手段２３が計測した通電時間が一定時間以上であると判断した場合は、前記特殊除霜モードから通常除霜モードに切り替えて、通常除霜モードを選択するものである。
【００３０】
次に、ヒートポンプ式暖房装置１の暖房運転時の動作について図２を用いて説明する。図２中の矢線は、ヒートポンプ回路１０を流れる冷媒の流れ方向、負荷側循環回路１４を流れる循環液の流れ方向をそれぞれ示したものである。
【００３１】
リモコン２０から、液冷媒熱交換器５において循環液を加熱し空調端末１３に供給する暖房運転の指示がなされると、制御装置１９は、四方弁４を暖房運転時の状態となるように流路を切り換え、圧縮機３、膨張弁６、送風ファン７を駆動させ、ヒートポンプ回路１０を作動させると共に、循環ポンプ１６を駆動させて暖房運転を開始させ、冷媒は、圧縮機３、四方弁４、液冷媒熱交換器５、膨張弁６、空気熱交換器８、四方弁４、圧縮機３の順で循環し（図２のヒートポンプ回路１０の矢線参照。）、循環液は液冷媒熱交換器５から空調端末１３に循環され、空調端末１３から再度、液冷媒熱交換器５に戻されるものである（図２の負荷側循環回路１４の矢線参照。）。この時、液冷媒熱交換器５は凝縮器として機能し、空気熱交換器８は蒸発器として機能するものである。
【００３２】
制御装置１９は、暖房運転中、循環液の温度を検出する戻り温度センサ１７の検出値が、リモコン２０の設定温度に基づいて設定される目標温度になるように、圧縮機３の回転数を制御するものである。
【００３３】
前記暖房運転中、ヒートポンプ回路１０において、液冷媒熱交換器５は凝縮器として機能し、液冷媒熱交換器５にて圧縮機３から吐出された高温高圧の気相状態の冷媒と循環ポンプ１６により循環される循環液とが熱交換され、冷媒の熱によって循環液が加熱される。一方、空気熱交換器８は蒸発器として機能し、空気熱交換器８にて膨張弁６から吐出された低温低圧の気液二相状態の冷媒と送風ファン７を駆動させることで送風される外気とが熱交換され、冷媒は外気から吸熱して気相状態へと変化し、圧縮機３へ戻るものである。
【００３４】
また、前記暖房運転中、負荷側循環回路１４では、液冷媒熱交換器５で加熱された循環液は、循環ポンプ１６の駆動により空調端末１３に供給され、被空調空間の内気に対して放熱して被空調空間を加温し、空調端末１３を流出した循環液は再び液冷媒熱交換器５に戻され加温されるものである。
【００３５】
この暖房運転中に、前記除霜制御手段２１が所定の除霜開始条件が成立したと判断すると、除霜運転の実行を開始する。除霜運転の形態は、図３に示すように、冷媒を、圧縮機３、四方弁４、空気熱交換器８、膨張弁６、液冷媒熱交換器５、四方弁４、圧縮機３の順で循環させ、暖房運転時と逆方向に冷媒を循環させる形態（図３のヒートポンプ回路１０の矢線参照。）であり、具体的な除霜運転の動作としては、除霜制御手段２１は、四方弁４を冷媒の流れ方向が暖房運転時の冷媒の流れ方向と逆になるように切り換え、圧縮機３の回転数を所定の除霜時回転数に制御すると共に、膨張弁６を全開とし、循環ポンプ１６を予め設定された除霜時回転数で駆動させる。この時、圧縮機３から吐出された高温の冷媒は、空気熱交換器８に直接供給され、空気熱交換器８に発生した霜を溶かす。空気熱交換器８にて霜との熱交換で温度低下し空気熱交換器８から流出した低温の冷媒は、膨張弁６で減圧されることなく膨張弁６を通過し、液冷媒熱交換器５で循環液と熱交換し、循環液から吸熱して再び圧縮機３に戻るものである。なお、ここでは除霜運転として、暖房運転時と逆方向に冷媒を循環させる逆サイクル除霜運転を実行するものとしたが、暖房運転時と同方向に冷媒を循環させる周知の正サイクル除霜運転を実行するものであってもよく、さらに、前記正サイクル除霜運転後に前記逆サイクル除霜運転を実行するというような、正サイクル除霜運転と逆サイクル除霜運転とを組み合わせて実行するものであってもよいものである。
【００３６】
なお、制御装置１９は、停電を検知した場合、停電検知時点でのヒートポンプユニット２の状態、すなわち暖房運転状態または停止状態を不揮発性メモリに保持させ、電力供給が再開した時に、不揮発性メモリに保持されたヒートポンプユニット２の状態を読み出し、停電前の状態と同じ状態で再開させることができる。詳細には、ヒートポンプユニット２が暖房運転中で、融雪電力の停電時間帯に入り、電力供給が停止され停電した場合、制御装置１９は、停電検知時点で暖房運転状態であったことを不揮発性メモリに保持させ、電力供給が再開し通電した時に、不揮発性メモリから暖房運転状態であったことを読み出して、暖房運転を再開する一方、ヒートポンプユニット２が停止中で、融雪電力の停電時間帯に入り、電力供給が停止され停電した場合、制御装置１９は、停電検知時点で停止状態であったことを不揮発性メモリに保持させ、電力供給が再開し通電した時に、不揮発性メモリから停止状態であったことを読み出して、電力供給が再開されても停止状態を維持するものである。
【００３７】
次に、除霜制御手段２１が暖房運転時に行う、通常除霜モードと特殊除霜モードのうち何れか一方の除霜モードを選択する除霜モード選択方法について、図５に示したフローチャートを用いて説明する。
【００３８】
前記暖房運転が開始されると、除霜制御手段２１は除霜モードとして通常除霜モードを選択して設定し（ステップＳ１）、続いて、停電時間計測手段２２が停電の発生を検知したか否かを判断し（ステップＳ２）、停電の発生を検知したと判断すると、停電時間計測手段２２は停電時間を計測し（ステップＳ３）、停電の発生を検知していないと判断すると、ステップＳ２の処理に戻る。
【００３９】
そして、停電状態から通電が再開した時に、除霜制御手段２１は、停電時間計測手段２２が計測した停電時間と判定値である所定時間（例えば２０分）とを比較して停電時間が所定時間以下か否かを判断し（ステップＳ４）、停電時間が所定時間以下であると判断した場合は、除霜モードとして特殊除霜モードを選択して設定し（ステップＳ５）、通電時間計測手段２３が通電時間の計測を開始する（ステップＳ６）。なお、除霜制御手段２１が、前記ステップＳ４の処理で停電時間が所定時間を超えていると判断した場合は、ステップＳ１の処理に戻る。ここで、前記判定値としての所定時間は、事前に設定された電力停止設定が、融雪電力の停電時間帯（１日２４時間のうち１６：００〜２１：００の５時間）における停電時間（ここでは、合計２時間）を複数に分割した場合に１回当たりに設定することのできる最少分割停電時間（ここでは、１５分）の設定かどうかを判定するためのもので、本実施形態では１５分以上かつ３０分未満の時間が設定されるものである。
【００４０】
前記ステップＳ６の処理に続いて、除霜制御手段２１が、通電時間計測手段２３で計測した通電時間が予め設定された一定時間（例えば２０分）を超過したか否かを判断し（ステップＳ７）、通電時間が一定時間を超過したと判断した場合は、前記ステップＳ１の処理に戻り、特殊除霜モードから通常除霜モードへと選択が切り替わる。一方、前記ステップＳ７において、通電時間が一定時間を超過していないと判断した場合は、停電時間計測手段２２が停電の発生を検知したか否かを判断し（ステップＳ８）、停電の発生を検知したと判断すると、前記ステップＳ３の処理に戻り、停電の発生を検知していないと判断すると、前記ステップＳ７の処理に戻るものである。ここで、前記一定時間は、通電時間計測手段２３で計測される連続通電時間が、最少分割停電時間（１５分）の合間の通電時間である最少連続通電時間（１５分）を超えた、すなわち、電力停止設定が最少分割停電時間（１５分）の設定で融雪電力の停電時間帯において取得すべき停電時間の取得が終了し、連続通電状態となったかどうかを判定するためのもので、本実施形態では１５分より大きくかつ３０分未満の時間が設定されるものである。
【００４１】
次に、特徴的な動作として、暖房運転を行っているときに停電時間帯となった場合の動作について、図６の比較例のタイムチャートと図７の本実施形態のタイムチャートとを用いてさらに詳細に説明する。なお、暖房運転中の外気温度は一定（例えば、２℃）で推移するものとする。
【００４２】
図６に示した比較例の動作では、従来のように、除霜運転禁止時間が固定（ここでは、通常除霜モードの設定しかなく除霜運転禁止時間が１５分固定）であり、融雪電力の停電時間帯（１日２４時間のうち１６：００〜２１：００の５時間）における停電時間（ここでは、合計２時間）を複数に分割した場合に１回当たりに設定することのできる最少分割停電時間（ここでは、１５分）と、前記除霜運転禁止時間とが同じ長さである場合を示している。まず、ユーザからリモコン２０を介して暖房運転の開始指示がなされると（時刻８：００）、制御装置１９は、ヒートポンプ回路１０を作動させると共に、循環ポンプ１６を駆動させて暖房運転を開始させ、除霜制御手段２１は、暖房運転開始時から１５分の除霜運転禁止時間が経過するまでは除霜運転を禁止させ、１５分の除霜運転禁止時間が経過すると、除霜運転禁止状態を解除し、除霜運転許可状態とする（時刻８：１５）。この除霜運転許可状態のときに、除霜制御手段２１が所定の除霜開始条件（ここでは、外気温度センサ１１で検出した外気温度と冷媒温度センサ１２で検出した冷媒温度との温度差が６℃を超えたこと）が成立したと判断した場合に、除霜運転を実行することができるものであるが、この時点では、外気温度センサ１１で検出した外気温度と冷媒温度センサ１２で検出した冷媒温度との温度差が６℃未満であり、除霜開始条件が成立していないため除霜運転は実行されない。
【００４３】
そして、暖房運転を継続して行い、停電時間帯に入り、実際に電力の供給が停止される停電時刻１６：３０になると、制御装置１９は、停電の発生を検知し、停電検知時点でのヒートポンプユニット２の状態、ここでは暖房運転状態であったことを不揮発性メモリに保持させる。ヒートポンプユニット２の運転状態としては暖房運転状態から停止状態となる。
【００４４】
続いて、１５分の停電時間が経過し、電力供給が再開され通電されたとき（時刻１６：４５）、制御装置１９は不揮発性メモリから暖房運転状態であったことを読み出して、暖房運転を再開する一方、除霜制御手段２１は、暖房運転開始時（再開時）から１５分は除霜運転禁止時間であることから除霜運転を禁止させる。この時刻１６：４５〜時刻１７：００の期間に、外気温度センサ１１で検出した外気温度と冷媒温度センサ１２で検出した冷媒温度との温度差が６℃以上となって、除霜開始条件は成立するものの、時刻１６：４５〜時刻１７：００の期間は除霜運転禁止時間で暖房運転のみ行われ除霜運転は行うことができず、また、通電時間も１５分で除霜運転禁止時間と同じ時間長のため、除霜運転許可状態となることなく、次の停電時刻（１７：００）となる。
【００４５】
そして、時刻１７：００以降も、１５分の停電（時刻１７：００〜時刻１７：１５、時刻１７：３０〜時刻１７：４５、時刻１８：００〜時刻１８：１５、時刻１８：３０〜時刻１８：４５、時刻１９：００〜時刻１９：１５、時刻１９：３０〜時刻１９：４５、時刻２０：００〜時刻２０：１５）と１５分の通電（時刻１７：１５〜時刻１７：３０、時刻１７：４５〜時刻１８：００、時刻１８：１５〜時刻１８：３０、時刻１８：４５〜時刻１９：００、時刻１９：１５〜時刻１９：３０、時刻１９：４５〜時刻２０：００）が交互に繰り返し行われ、通電時における暖房運転中に除霜開始条件が成立していても、暖房運転中は除霜運転禁止時間であり全く除霜運転を行うことができず、暖房運転が行われるたびに空気熱交換器８の着霜量が増大して空気熱交換器８が氷結し、暖房出力（暖房能力）も時刻が進むにつれ段々と低下していく。
【００４６】
合計２時間の停電時間のうち、分割された最後の停電時間が終了すると（時刻２０：１５）、電力供給が再開され、制御装置１９は不揮発性メモリから暖房運転状態であったことを読み出して、暖房運転を再開させ、除霜運転禁止時間の１５分が経過すると、除霜制御手段２１は除霜運転禁止状態を解除し、除霜運転許可状態とする（時刻２０：３０）。この時、外気温度センサ１１で検出した外気温度と冷媒温度センサ１２で検出した冷媒温度との温度差は６℃を超えていることから、除霜制御手段２１は除霜開始条件が成立していると判断し、除霜運転を行うものであるが、停電時間帯において全く除霜運転がされなかった結果、着霜量増大により空気熱交換器８は氷結しており、除霜運転を行ってもなかなか溶けず、除霜運転実行時間が長くなってしまうものである。
【００４７】
このように、融雪電力を電源とするヒートポンプ式暖房装置１であって、融雪電力の停電時間帯における停電時間を複数に分割した場合に１回当たり設定することのできる最少分割停電時間の長さと、暖房運転開始時から所定時間除霜運転を禁止する区間である除霜運転禁止時間の長さとが同じ時間長である場合、最少分割停電時間の停電と通電が交互に繰り返される期間中は除霜運転の必要があったとしても、暖房運転中は除霜運転禁止時間であり除霜運転を全く行うことができないことになる。また、停電時間帯の通電時には暖房運転は行われているものの、暖房運転が行われるたびに空気熱交換器８の着霜量が増大して空気熱交換器８が氷結し、空気熱交換器８が着霜または氷結状態だと冷媒と外気との熱交換が阻害され暖房出力は低下するので、暖房運転が行われていても暖房不足を生じており、合計２時間の停電時間が経過した段開では、暖房出力（暖房能力）が著しく低下しているといった不具合が発生してしまう。暖房不足にならないために設定された除霜運転禁止時間が、逆に暖房不足を招いてしまっているものである。
【００４８】
一方、図７に示した本実施形態の動作では、除霜モードとして通常除霜モードと特殊除霜モードとがあり、比較例とは異なり、除霜運転禁止時間は固定ではなく、融雪電力の停電時間帯における電力停止設定が、停電時間（ここでは、２時間）を複数に分割した場合に１回当たり設定することのできる最少分割停電時間（ここでは、１５分）の設定かどうか判断し、その判断を基に除霜運転禁止時間を変更するものである。
【００４９】
以下、詳細に説明すると、まず、ユーザからリモコン２０を介して暖房運転の開始指示がなされると（時刻８：００）、制御装置１９は、ヒートポンプ回路１０を作動させると共に、循環ポンプ１６を駆動させて暖房運転を開始させ、除霜制御手段２１は、除霜モードとして通常除霜モード（第１除霜運転禁止時間＝１５分、第１除霜開始条件＝外気温度センサ１１で検出した外気温度と冷媒温度センサ１２で検出した冷媒温度との温度差が６℃を超えたこと、除霜終了条件＝冷媒温度センサ１２で検出する空気熱交換器８を流通してきた冷媒の温度が除霜終了温度に達したこと）を選択設定し（図５のステップＳ１）、暖房運転開始時から１５分の第１除霜運転禁止時間が経過するまでは除霜運転を禁止させ、１５分の第１除霜運転禁止時間が経過すると、除霜運転禁止状態を解除し、除霜運転許可状態とする（時刻８：１５）。この除霜運転許可状態のときに、除霜制御手段２１が第１除霜開始条件が成立したと判断した場合に、除霜運転を実行することができるものであるが、この時点では、外気温度センサ１１で検出した外気温度と冷媒温度センサ１２で検出した冷媒温度との温度差が６℃未満であり、第１除霜開始条件が成立していないため除霜運転は実行されない。
【００５０】
そして、暖房運転を継続して行い、停電時間帯に入り、実際に電力の供給が停止される停電時刻１６：３０になると、制御装置１９は、停電の発生を検知し、停電検知時点でのヒートポンプユニット２の状態、ここでは暖房運転状態であったことを不揮発性メモリに保持させると共に、前記停電時間計測手段２２は、停電の発生を検知し（図５のステップＳ２）、停電の発生と同時に停電時間の計時を開始する（図５のステップＳ３）。ヒートポンプユニット２の運転状態としては暖房運転状態から停止状態となる。
【００５１】
続いて、１５分の停電時間が経過し、電力供給が再開され通電されたとき（時刻１６：４５）、制御装置１９は不揮発性メモリから暖房運転状態であったことを読み出して、暖房運転を再開する一方、除霜制御手段２１は、停電時間計測手段２２が計測した停電時間が１５分で、判定値である所定時間（例えば２０分）以下であると判断し（図５のステップＳ４）、除霜モードとして特殊除霜モード（第２除霜運転禁止時間＝５分、第２除霜開始条件＝外気温度センサ１１で検出した外気温度と冷媒温度センサ１２で検出した冷媒温度との温度差が８℃を超えたこと、除霜終了条件＝冷媒温度センサ１２で検出する空気熱交換器８を流通してきた冷媒の温度が除霜終了温度に達したこと）を選択設定し（図５のステップＳ５）、通電時間計測手段２３は通電時間の計測を開始する（図５のステップＳ６）。
【００５２】
ここで、時刻１６：４５において、暖房運転開始時（再開時）から５分は第２除霜運転禁止時間であることから除霜運転は禁止され、暖房運転開始時から第２除霜運転禁止時間が経過すると、除霜運転禁止状態を解除し、除霜運転許可状態とし、この除霜運転許可状態である間に、除霜制御手段２１は、外気温度センサ１１で検出した外気温度と冷媒温度センサ１２で検出した冷媒温度との温度差が８℃を超え、第２除霜開始条件が成立したと判断し、除霜運転を実行する。
【００５３】
そして、除霜運転中に、次の停電時刻１７：００となると、制御装置１９は、停電の発生を検知し、停電検知時点でのヒートポンプユニット２の状態、ここでは除霜運転中であるが除霜運転は暖房運転の途中に行われるものであり、運転状態としては暖房運転状態と判断し、暖房運転状態であったことを不揮発性メモリに保持させると共に、除霜制御手段２１は、通電時間計測手段２３の計測する通電時間が一定時間（ここでは２０分）を超過しないうちに停電の発生を検知し（図５のステップＳ７、Ｓ８）、停電の発生と同時に停電時間の計時を開始する（図５のステップＳ３）。ヒートポンプユニット２の運転状態としては暖房運転状態から停止状態となる。
【００５４】
続いて、１５分の停電時間が経過し、電力供給が再開され通電されたとき（時刻１７：１５）、制御装置１９は不揮発性メモリから暖房運転状態であったことを読み出して、暖房運転を再開する一方、除霜制御手段２１は、停電時間計測手段２２が計測した停電時間が１５分で、判定値である所定時間以下であると判断し（図５のステップＳ４）、除霜モードとして特殊除霜モードを選択設定し（図５のステップＳ５）、通電時間計測手段２３は通電時間の計測を開始する（図５のステップＳ６）。
【００５５】
ここで、時刻１７：１５において、暖房運転開始時（再開時）から５分は第２除霜運転禁止時間であることから除霜運転が実行されることはないが、第２除霜運転禁止時間中に第２除霜開始条件が成立しており、暖房運転開始時から第２除霜運転禁止時間が経過すると、除霜制御手段２１は除霜運転禁止状態を解除して除霜運転許可状態とし、第２除霜開始条件が成立したと判断して、第２除霜運転禁止時間経過と略同時に除霜運転を開始し、除霜運転を行い、図７では詳細に図示されていないが、次の停電時刻１７：３０の直前で、除霜制御手段２１が除霜終了条件が成立したと判断して、除霜運転を終了して暖房運転に切り換えたところで、次の停電時刻１７：３０となると、制御装置１９は、停電の発生を検知し、停電検知時点でのヒートポンプユニット２の状態、ここでは暖房運転状態であったことを不揮発性メモリに保持させると共に、除霜制御手段２１は、通電時間計測手段２３の計測する通電時間が一定時間を超過しないうちに停電の発生を検知し（図５のステップＳ７、Ｓ８）、停電の発生と同時に停電時間の計時を開始する（図５のステップＳ３）。ヒートポンプユニット２の運転状態としては暖房運転状態から停止状態となる。
【００５６】
続いて、１５分の停電時間が経過し、電力供給が再開され通電されたとき（時刻１７：４５）、制御装置１９は不揮発性メモリから暖房運転状態であったことを読み出して、暖房運転を再開する一方、除霜制御手段２１は、停電時間計測手段２２が計測した停電時間が１５分で、判定値である所定時間以下であると判断し（図５のステップＳ４）、除霜モードとして特殊除霜モードを選択設定し（図５のステップＳ５）、通電時間計測手段２３は通電時間の計測を開始する（図５のステップＳ６）。
【００５７】
ここで、時刻１７：４５において、暖房運転開始時（再開時）から５分は第２除霜運転禁止時間であることから除霜運転は禁止され、暖房運転開始時から第２除霜運転禁止時間が経過すると、除霜運転禁止状態を解除し、除霜運転許可状態とする。この時刻１７：４５〜時刻１８：００の期間は、前回通電時の期間（時刻１７：１５〜時刻１７：３０の期間）に除霜運転が完了し、空気熱交換器８の霜が溶けたことから、高い暖房出力を実現できているものである。なお、次の停電時刻１８：００に実施される制御は停電時刻１７：３０と同じであるため、説明を省略する。
【００５８】
そして、時刻１８：００以降も、１５分の停電（時刻１８：００〜時刻１８：１５、時刻１８：３０〜時刻１８：４５、時刻１９：００〜時刻１９：１５、時刻１９：３０〜時刻１９：４５、時刻２０：００〜時刻２０：１５）と１５分の通電（時刻１８：１５〜時刻１８：３０、時刻１８：４５〜時刻１９：００、時刻１９：１５〜時刻１９：３０、時刻１９：４５〜時刻２０：００）が交互に繰り返し行われ、上記１５分の通電時においては、除霜制御手段２１により特殊除霜モードが選択設定されるため、第２除霜運転禁止時間以外の暖房運転中に第２除霜開始条件が成立した場合は除霜運転が実行され、時刻が進んでも暖房出力（暖房能力）は高く維持される。
【００５９】
合計２時間の停電時間のうち、分割された最後の停電時間が終了すると（時刻２０：１５）、電力供給が再開され、制御装置１９は不揮発性メモリから暖房運転状態であったことを読み出して、暖房運転を再開する一方、除霜制御手段２１は、停電時間計測手段２２が計測した停電時間が１５分で、判定値である所定時間以下であると判断し（図５のステップＳ４）、除霜モードとして特殊除霜モードを選択設定し（図５のステップＳ５）、通電時間計測手段２３は通電時間の計測を開始する（図５のステップＳ６）。
【００６０】
時刻２０：１５から暖房運転が再開され、暖房運転が行われて時刻２０：３５を超えると、除霜制御手段２１は通電時間計測手段２３で計測された通電時間が一定時間（２０分）を超過したと判断し、除霜モードを特殊除霜モードから通常除霜モードへと切り換えるものである。
【００６１】
なお、上記の本実施形態では、融雪電力の停電時間帯における電力停止設定が、合計２時間の停電時間を８分割した最少分割停電時間が１５分の設定のものを想定して説明したが、合計２時間の停電時間を４分割した最少分割停電時間が３０分の設定のもの、合計２時間の停電時間を２分割した最少分割停電時間が１時間の設定のもの、停電時間を２時間連続とした設定のものについては、除霜制御手段２１は除霜モードとして通常除霜モード、すなわち除霜運転禁止時間が長い方（１５分）を選択するものである。これは、前記最少分割停電時間が１５分のように除霜運転禁止時間を短くしないと、停電時間帯における暖房運転中に除霜運転が実行されないような状況が、停電が連続的に行われるものや最少分割停電時間が長いものでは無いからであり、例えば、前記最少分割停電時間が３０分のものであれば、停電時間３０分と通電時間３０分が交互に繰り返されるわけだが、停電時間の合間の通電時間３０分には、１５分の除霜運転禁止時間があったとしても残り１５分は除霜運転が実行可能であることから、通電時間内の暖房運転中に除霜運転が必要になれば、十分な時間、除霜運転を実行することができるからである。
【００６２】
以上のように、本実施形態では、除霜制御手段２１は、融雪電力の停電時間帯における停電時間、すなわち停電時間計測手段２２が計測する停電時間が所定時間以下か否かを判断することで、融雪電力の停電時間帯における電力停止設定が、停電時間（ここでは、２時間）を複数に分割した場合に１回当たり設定することのできる最少分割停電時間（ここでは、１５分）の設定であるかどうか判断し、停電時間が所定時間以下であると判断した場合は、特殊除霜モードを選択し、暖房運転開始時からの除霜運転禁止時間を、通常設定の第１除霜運転禁止時間よりも短い第２除霜運転禁止時間とする一方、停電時間が所定時間を超えると判断した場合は、通常除霜モードを選択し、暖房運転開始時からの除霜運転禁止時間を、通常設定の第１除霜運転禁止時間としたので、融雪電力の停電時間帯において、１回の停電時間が短ければ、通電が再開した際の暖房運転開始時からの除霜運転禁止時間を通常よりも短くして、停電時間の合間の通電時に暖房運転のみならず、暖房運転中に除霜運転を実行可能とすることもでき、１回の停電時間が長ければ、通電が再開した際の暖房運転開始時からの除霜運転禁止時間を、１回の停電時間が短い場合の除霜運転禁止時間よりも長い通常の除霜運転禁止時間として、停電時間の合間の通電時に行われる暖房運転において、暖房運転開始時からの暖房運転時間が長くなるので、暖房不足を生じさせないようにすることができるものである。
【００６３】
また、特殊除霜モードでの第２除霜運転禁止時間を、融雪電力の停電時間帯において取得すべき合計の停電時間を複数に分割した場合に１回当たり設定することのできる最少分割停電時間よりも短い時間としたことで、最少分割停電時間と、最少分割停電時間と同時間長の通電時間とが繰り返される場合であっても、通電時間内で除霜運転禁止時間が確実に終了し、通電時間のうち除霜運転禁止時間を除いた残時間は除霜運転を行える除霜運転許可状態とすることができるので、短い通電時間内であっても、暖房運転を行う時間を確保して暖房不足とならないようにすると共に、必要なときに除霜運転を行える状態とすることができるものである。
【００６４】
さらに、除霜制御手段２１が停電時間計測手段２２で計測される停電時間が所定時間以下であると判断した場合の除霜開始条件、すなわち特殊除霜モード時の第２除霜開始条件を、前記停電時間が所定時間を超えると判断した場合の除霜開始条件、すなわち通常除霜モード時の第１除霜開始条件よりも除霜運転を開始しにくい条件としたことで、停電時間が所定時間以下であると判断した場合、つまり、融雪電力の停電時間帯における電力停止設定が、合計の停電時間を複数に分割した場合に１回当たり設定することのできる最少分割停電時間の設定であった場合でも、短い通電時間の中で、除霜運転よりも暖房運転を優先させることに主眼を置き、暖房不足を生じないように暖房運転時間を長くすることができるものである。
【００６５】
また、除霜制御手段２１は、停電時間計測手段２２が計測する停電時間が所定時間以下であると判断して除霜運転禁止時間を第２除霜運転禁止時間とした後に、通電時間計測手段２３が計測する通電時間が一定時間を超えたと判断した場合は、除霜運転禁止時間を、特殊除霜モードの第２除霜運転禁止時間から通常除霜モードの第１除霜運転禁止時間に戻すようにしている。
ここで、除霜運転禁止時間は、暖房運転開始時からの除霜運転を禁止する時間としてだけでなく、除霜運転終了後の暖房運転再開時からの前記除霜運転を禁止する時間としても機能するものであり、融雪電力の停電時間帯において取得すべき停電時間の取得が終了した後は、停電なく暖房運転が連続して行われる状況であり、その状況下で除霜運転禁止時間が特殊除霜モードの第２除霜運転禁止時間のように短いと、すぐに除霜運転を行える状態となり、暖房運転中に頻繁に除霜運転が行われる可能性があることから、暖房不足を生じる可能性が高まるが、除霜運転禁止時間を通常の除霜運転禁止時間、すなわち通常除霜モードの第１除霜運転禁止時間とすれば、除霜運転禁止時間が長くなる、つまり、暖房運転を行う時間が長くなるので、暖房不足を生じにくくすることができるものである。
したがって、除霜制御手段２１が、停電時間が所定時間以下であると判断した後に、通電時間が一定時間を超えたと判断した場合、融雪電力の停電時間帯において取得すべき停電時間の取得が終了したものとして、除霜運転禁止時間を第２除霜運転禁止時間から第１除霜運転禁止時間に戻すので、暖房運転中に除霜運転を頻繁に行って暖房不足となるような事態を防ぐことができるものである。
【００６６】
なお、本発明は一実施形態に限定されるものではなく、本実施形態では、冷房運転を行わず暖房運転のみを行うヒートポンプユニット２を備えたヒートポンプ式暖房装置１に本発明を適用したが、四方弁４の切り替えによって暖房運転および冷房運転の両方を行えるヒートポンプユニット２を備えたヒートポンプ式暖房装置１に本発明を適用してもよく、この場合、空調端末１３としては、暖房専用端末である床暖房パネルやラジエータの他に、冷暖房兼用端末である輻射パネルやファンコイル等を用いてもよいものである。
【００６７】
また、本実施形態では、負荷側熱交換器として液冷媒熱交換器５を備えたヒートポンプ式暖房装置１に本発明を適用したが、これに限定されず、空調端末１３内に負荷側熱交換器５を備え、そこに直接冷媒を供給し、室内内気と冷媒とを熱交換して室内空気を加熱する暖房運転を行えるようなヒートポンプ式暖房装置（いわゆるエアコン）に本発明を適用することもでき、この場合も、上記同様の効果を得る。
【符号の説明】
【００６８】
１  ヒートポンプ式暖房装置
２  ヒートポンプ熱源機
８  空気熱交換器
２１  除霜制御手段
２２  停電時間計測手段
２３  通電時間計測手段
【図１】
2019148382.tif 000003
【図２】
2019148382.tif 000004
【図３】
2019148382.tif 000005
【図４】
2019148382.tif 000006
【図５】
2019148382.tif 000007
【図６】
2019148382.tif 000008
【図７】
2019148382.tif 000009